(57)【要約】【課題】  低コストで組み立てが容易な折り畳み可能なアンテナを提供する。【解決手段】  平板状体４には、切り込み６ａ、６ｂと折り曲げ線８とによって、支持部１０とアンテナ配置部１２とが形成され、アンテナ配置部１２には放射器２４ａ、２４ｂと導波器２６とが形成されている。折り曲げ線８、１８ａ、１８ｂに沿って支持部１０を折り曲げることによって、アンテナ配置部１２が水平で、このアンテナ配置部１２を支持部１０が支持しているアンテナ装置２を組み立てる。【選択図】        図１
2008199152.tif 000002
【特許請求の範囲】
【請求項１】
少なくとも１つの折り曲げ線を有し、この折り曲げ線に沿って一部を折り曲げることによって、アンテナ配置部と、このアンテナ配置部に垂直な支持部とが、形成される１つの平板状体と、
前記アンテナ配置部に設けられたアンテナ素子とを、
具備するアンテナ装置。
【請求項２】
請求項１記載のアンテナ装置において、前記折り曲げ線に沿って前記平板状体を折り曲げた状態で、
前記アンテナ配置部は、ほぼ水平に位置し、
前記支持部は、前記アンテナ配置部の縁から前記アンテナ配置部に垂直に下方に伸びた第１垂直脚部と、第１垂直脚部の下部の両側縁からそれぞれ前記アンテナ配置部の下方に伸びた水平脚部と、これら水平脚部の先端から前記アンテナ配置部の下面にまで伸びた２つの第２垂直脚部とを、有する
アンテナ装置。
【請求項３】
請求項１記載のアンテナ装置において、前記折り曲げ線に沿って前記平板状体を折り曲げた状態で、
前記アンテナ配置部がほぼ垂直に配置され、前記折り曲げ線は、前記アンテナ配置部と前記支持部との境界に位置し、前記折り曲げ線に沿って前記平板状体が折り曲げられたことによって、前記支持部がほぼ水平に位置する
アンテナ装置。
【請求項４】
導電性の帯状体の両端が近接するように曲げられたアンテナ素子と、
このアンテナ素子の両端近傍の給電部に接続された給電装置とを、
有するアンテナ装置。
【請求項５】
帯状の基板と、
この基板の一方の長手縁に沿って間隔を隔てて一端が前記長手縁に設けられ、前記基板の他方の長手縁に他端が近接するように曲げられた複数のアンテナ素子とを、
具備するアンテナ装置。
【発明の詳細な説明】
【技術分野】
【０００１】
本発明は、アンテナ装置に関し、特に折り畳み可能なアンテナ装置に関する。
【背景技術】
【０００２】
折り畳み可能なアンテナ装置としては、例えば特許文献１に開示されているものがある。このアンテナ装置は、それぞれ直方体状に形成した上部キャビネットと下部キャビネットとをヒンジ機構によって互いに連結しており、ヒンジの回りに上部キャビネットを回転させることによって、キャビネットを折り畳んだり、開いたりすることができる。上部キャビネット内に受信特性と指向性の異なる複数の扁平なアンテナが取り付けられ、これらアンテナで受信された信号は下部キャビネット内に収容された無線モジュールに接続されている。
【０００３】
【特許文献１】特開２００５−１０９８２１号公報
【発明の開示】
【発明が解決しようとする課題】
【０００４】
しかし、特許文献１に開示されたアンテナ装置では、折り畳むために２つの直方体状のキャビネットを使用しなければならず、折り畳んだ状態で嵩張る。また、折り畳んだり、開いたりするために、ヒンジを使用しなければならず、コストが高くなる。
【０００５】
本発明は、嵩張らずに低コストの折り畳み可能なアンテナ装置を提供することを目的とする。
【課題を解決するための手段】
【０００６】
本発明の一態様のアンテナ装置は、１つの平板状体を有している。この平板状体は、折り曲げ可能な材料、例えば紙製で、少なくとも１つの折り曲げ線を有している。平板状体を、この折り曲げ線に沿って折り曲げることによって、アンテナ配置部と、このアンテナ配置部に垂直な支持部とが、形成される。前記アンテナ配置部にアンテナ素子が設けられている。アンテナ素子は、例えば金属製テープをアンテナ配置部に貼着したり、金属皮膜をアンテナ配置部に蒸着したりすることによって形成される。これらアンテナ素子は、平板状体を折り曲げる前にアンテナ配置部に予め形成しておくことが望ましい。
【０００７】
このように構成されたアンテナ装置によれば、１枚の平板状体を折り曲げ線に沿って折り曲げることによって、アンテナ装置を形成することができ、１枚の平板状体の状態で保管や運搬を行うことができて嵩張らない。また、単に折り曲げるだけでアンテナ装置を構成することができ、折り畳むためにヒンジ等が不要であり、コストを低減させることができる。
【０００８】
前記折り曲げ線に沿って前記平板状体を折り曲げた状態において、前記アンテナ配置部が、ほぼ水平に位置し、前記支持部が、前記アンテナ配置部の縁から前記アンテナ配置部に垂直に下方に伸びた第１垂直脚部と、第１垂直脚部の下部の両側縁からそれぞれ前記アンテナ配置部の下方に伸びた水平脚部と、これら水平脚部の先端から前記アンテナ配置部の下面にまで伸びた２つの第２垂直脚部とを、有する構成とすることができる。この場合、上述した折り曲げ線以外にも複数の折り曲げ線を前記平板状体に形成する。
【０００９】
このように構成すると、アンテナ配置部を、第２垂直脚部によって支持することができ、組み立てた状態においてアンテナ装置の安定性が増す。なお、第２垂直脚部に先端に突起を形成し、この突起をアンテナ配置部に設けた係合孔に挿通すれば、より安定性が増す。
【００１０】
或いは、前記折り曲げ線に沿って前記平板状体を折り曲げた状態において、前記アンテナ配置部がほぼ垂直に配置され、前記折り曲げ線は、前記アンテナ配置部と前記支持部との境界に位置し、前記折り曲げ線に沿って前記平板状体が折り曲げられたことによって、前記支持部がほぼ水平に位置するものとすることができる。
【００１１】
このように構成すると、ただ１つの折り曲げ線に沿って平板状体を折り曲げることによって、アンテナ装置の組み立てが完了するので、組み立て作業が容易となる。
【００１２】
本発明の他の態様のアンテナ装置は、導電性の帯状体の両端が近接するように曲げられたアンテナ素子を有している。このアンテナ素子は、折り曲げ可能な帯状体、例えば紙製の帯状体に金属テープを貼着したり、金属皮膜を蒸着したもの、或いは折り曲げ可能な金属フィルムを使用することができる。このアンテナ素子の両端近傍の給電部に給電装置が接続されている。
【００１３】
このように構成されたアンテナ装置では、アンテナ素子を曲げる前の平板状体として保管や運搬が行えるので、嵩張らない。また、平板状体を曲げてループ状にした状態で、平板状体の両端を給電装置に結合することによって、平板状体を曲げた状態を維持することができる。
【００１４】
本発明の別の態様のアンテナ装置は、帯状の基板を有している。この基板の一方の長手縁に沿って間隔を隔てて複数のアンテナ素子の一端が前記長手縁に設けられている。これらアンテナ素子は、長さを異ならせることができる。各アンテナ素子の他端は、前記基板の他方の長手縁に他端が近接するように曲げられている。
【００１５】
このように構成されたアンテナ装置では、アンテナ素子を曲げる前の状態で、保管や運搬を行えるので、嵩張ることがない。また、各アンテナ素子の長さを異ならせることによって、各アンテナ素子を放射器と、反射器及び導波器のうち双方または一方として使用することができ、八木形アンテナとして使用することができ、利得を向上させることができるし、指向性を持たせることもできる。
【発明の効果】
【００１６】
以上のように、本発明によれば、嵩張らずに低コストで、折り畳み可能なアンテナ装置を実現することができる。
【発明を実施するための最良の形態】
【００１７】
本発明の第１の実施形態のアンテナ装置２は、図１に示すように、平板状体４を有している。この平板状体４は、折り曲げ可能な材料、例えば紙、具体的には厚紙製で、概略長方形状に形成されている。
【００１８】
この平板状体４には、２本の切り込み６ａ、６ｂが形成されている。切り込み６ａは、平板状体４の一方の短縁４ａのほぼ中央から他方の短縁４ｂ側に長手縁４ｃ、４ｄに平行に短く進行し、更に、一方の長手縁４ｃ側に直角に短く進行し、更に他方の短縁４ｂ側に短く進行している。即ち、切り込み６ａは段状に進行している。この段状部から、更に一方の長手縁４ｃ付近まで短縁４ａに平行に長く切り込み６ａは直線状に進行している。この直線状部の先端から、長手縁４ｃに平行に長手縁４ｃの中央付近まで切り込み６ａは直線状に長く進行している。この直線状部の先端から平板状部の４の中心付近まで斜めに長く切り込み６ａが進行している。切り込み６ｂは、長手縁４ｃ、６ｄの中心を通る直線を対称軸として切り込み６ａと線対称に形成されている。切り込み６ａ、６ｂの斜行部の先端間には、折り返し線８が形成されている。このように切り込み６ａ、６ｂ及び折り返し線８を形成することによって、平板状体４は、支持部１０とアンテナ配置部１２とに分割されている。
【００１９】
支持部１０は、長手縁４ｃの中央付近から平板状体４の中心に向かう台形状の第１垂直脚部１４を有している。第１垂直脚部１４の両側の底部付近から短縁４ａ、４ｂ側水平脚部１６ａ、１６ｂに向かっている。これら水平脚部１６ａ、１６ｂと第１垂直脚部１４との境界部には、短縁４ａ、４ｂに平行に折り曲げ線１８ａ、１８ｂが形成されている。水平脚部１６ａ、１６ｂの先端から短縁４ａ、４ｂに沿って第２垂直脚部２０ａ、２０ｂが伸びている。第２垂直脚部２０ａ、２０ｂの先端部に矩形の突起２２ａ、２２ｂが形成されている。
【００２０】
アンテナ配置部１２には、複数のアンテナ素子、例えば放射器２４ａ、２４ｂと導波器２６とが形成されている。放射器２４ａ、２４ｂは、折り返し線８の両端付近から短縁４ａ、４ｂ側にそれぞれ向かうに従って幅が徐々に大きくなる概略三角形状に形成されている。この放射器２４ａ、２４ｂの折り返し線８付近にそれぞれ給電部２８ａ、２８ｂが形成されている。この放射器２４ａ、２４ｂよりも長手縁４ｄ側によった位置に、放射器２４ａ、２４ｂよりも長さの短い導波器２６が、長手縁４ｃ、４ｄに平行に形成されている。
【００２１】
これら放射器２４ａ、２４ｂ、導波器２６は、平板状体４に金属製テープを貼り付けるか、或いは金属被膜を蒸着することによって形成されている。
【００２２】
導波器２６の両端よりも幾分短縁４ａ、４ｂ側によった位置に、突起２２ａ、２２ｂが挿入可能な係合孔３０ａ、３０ｂがアンテナ配置部１２に形成されている。
【００２３】
このアンテナ装置２は、図１に示す状態で運搬または保管が行われる。図１の状態では、薄い平板状であるので、嵩張らない。
【００２４】
図１の状態からアンテナ装置２を組み立てる場合、図２（ａ）に示すように折り曲げ線８に沿って平板状体４を山折りする。これによってアンテナ配置部１２がほぼ水平に、支持部１０がアンテナ配置部１２に対して垂直な状態になる。この状態で同図（ｂ）に示すように、折り曲げ線１８ａ、１８ｂで平板状体４を山折りする。これによって第２垂直脚部２０ａ、２０ｂがアンテナ配置部１２の下方に入る。この状態で、第２垂直脚部２０ａ、２０ｂの先端の突起部２２ａ、２２ｂを係合孔３０ａ、３０ｂに挿入することによって、アンテナ配置部１２が第１及び第２の垂直脚部１４、２０ａ、２０ｂによって支持され、かつ、その支持状態が維持される。このアンテナ装置２を組み立てる際には、折り曲げ線８、１８ａ、１８ｂでの折り曲げを行うだけでよく、ヒンジ等を別途設ける必要が無く、低コストのアンテナ装置とすることができる上に、その組み立て作業も非常に容易である。
【００２５】
図３にこのアンテナ装置の利得特性を、図４に同ＶＳＷＲ特性を、図５に同Ｆ／Ｂ特性を、図６に同半値幅特性を、図７に指向特性図を示す。図７の指向特性図は４７０ＭＨｚで測定したものである。なお、これらは、図１に示すＨ１を２１０ｍｍ、Ｈ２を５０ｍｍ、Ｈ３を１０ｍｍ、Ｈ４を８０ｍｍ、Ｈ５を２０ｍｍ、Ｈ６を１２ｍｍ、Ｈ７を１０ｍｍ、Ｗ１を２９８ｍｍ、Ｗ２を１４５ｍｍ、Ｗ３を１３６ｍｍ、Ｗ４を１０ｍｍ、Ｗ５を１１０ｍｍ、Ｗ６を１０ｍｍ、Ｗ７を１１０ｍｍ、Ｗ８を７８ｍｍ、Ｗ９を１１０ｍｍ、Ｗ１０を１２ｍｍとした場合の特性である。
【００２６】
これら特性から、ＵＨＦ帯のテレビジョン放送の受信用に充分に使用できるアンテナ装置であることが明らかである。
【００２７】
本発明の第２の実施形態のアンテナ装置４０を図８（ａ）、（ｂ）に示す。このアンテナ装置４０も長方形状の平板状体４２を有している。この平板状体４２も折り曲げ可能な材料、例えば紙、具体的には厚紙製で、図８（ａ）に示すようにそれの両長手縁４２ａ、４２ｂから切り込み４４ａ、４４ｂが形成されている。切り込み４４ａは、長手縁４２ａの中央より幾分一方の短縁４２ｃに寄った位置から、短縁４２ｃ、４２ｄに沿って内側に進行し、その先端部から短縁４２ｄ側に向かって水平に進行した逆Ｌ字状のものである。切り込み４４ｂは、短縁４２ｃ、４２ｄの中心を通る直線を対称軸として切り込み４２ａと線対称に形成されている。これら切り込み４４ａ、４４ｂによって、平板状体４２には、支持部４６とアンテナ配置部４８とが形成されている。このアンテナ配置部４８と支持部４６との境界部、即ち切り込み４４ａ、４４ｂの水平部の最先端間に、これらを繋ぐように短縁４２ｃ、４２ｄに平行に折り曲げ線５０が形成されている。
【００２８】
支持部４６は、概略Ｕ字状に形成され、その両面または一方の面全域に接地導体となる金属面が形成されている。この金属面は、金属テープを貼着したり、金属膜を蒸着によって形成したりすることに形成されている。アンテナ配置部４８は、細長い首部４８ａの先端に矩形の頭部４８ｂを有する形状である。このアンテナ配置部４８にアンテナ素子、例えばモノポールアンテナ素子５２が形成されている。このアンテナ素子５２は、首部４８ａの長さ方向に沿って頭部４８ｂに向かい、頭部４８ｂにおいて概略三角形状をなしている。このアンテナ素子５２も、アンテナ配置部４８の両面または一方の面に金属テープを貼着したり、金属膜を蒸着したりすることによって形成されている。
【００２９】
このアンテナ装置４０も運搬または保管時には図８（ａ）に示すように平板状の状態とする。また、組み立て時には、折り曲げ線５０にそってアンテナ配置部４８を折り曲げて、支持部４６が水平で、この支持部４６に対してアンテナ配置部４８が垂直となるようにする。
【００３０】
このアンテナ装置４０においても、運搬及び保管時には嵩張らず、組み立て作業は折り曲げるだけであり、組み立て作業が非常に簡単であり、また、ヒンジ等も使用していないので、低コストである。
【００３１】
図９（ａ）、（ｂ）に第３の実施形態のアンテナ装置５０を示す。このアンテナ装置５０も、長方形状の平板状体５２を有している。この平板状体５２も折り曲げ可能な材料、例えば紙、具体的には厚紙製で、図９（ａ）に示すようにそれの両長手５２ａのうち短縁５２ｃ、５２ｄから幾分内側によった位置から長手縁５２ｂ側に向かって短縁５２ｃ、５２ｄに平行に直線状の切り込み５４ａ、５４ｂが形成されている。これら切り込み５４ａ、５４ｂの先端部を繋ぐように長手縁５２ａ、５２ｂに平行に折り曲げ線５６が形成されている。この折り曲げ線５６によって、平板状体５２には、支持部５８とアンテナ配置部６０とに区画されている。
【００３２】
支持部５８は、切り込み５４ａ、５４ｂによって両側支持部５８ａ、５８ｂと、中央支持部５８ｃとに区画されている。また、アンテナ配置部６０の両面または一方の面には、アンテナ素子６２ａ、６２ｂが形成されている。これらアンテナ素子６２ａ、６２ｂは、長手縁５２ａ、５２ｂの中央を通る短縁５２ｃ、５２ｄに平行な直線を対称軸として線対称に配置され、それぞれは短縁５２ｃ、５２ｄ側から中央に向かうに従って徐々に幅が狭くなる台形状に形成されている。これらの中央側の端部に給電部６４ａ、６４ｂが形成されている。このアンテナ素子６２ａ、６２ｂも、金属テープの貼着または金属膜の蒸着によって形成されている。
【００３３】
このように構成されたアンテナ装置５０は、運搬時や保管時には、図９（ａ）に示すように平板状体とされる。従って、嵩張らない。組み立て時には、折り曲げ線５６に沿って両側支持部５８ａ、５８ｂを同じ側に折り曲げ、中央支持部５８ｃを反対側に折り曲げて、同図（ｂ）に示す状態とする。これによって、支持部５８によってアンテナ配置部６０が、支持部５８に対して垂直な状態を維持する。組み立ても単に折り曲げ線５６に沿って折り曲げるだけであるので、作業が簡単であるし、ヒンジ等が不要であるので、低コストのアンテナ装置とできる。
【００３４】
第４の実施形態のアンテナ装置７０を図１０（ａ）、（ｂ）に示す。このアンテナ装置７０は、第１の実施形態のアンテナ装置２において、導波器の数を増加させると共に、反射器を追加した以外、アンテナ装置２と同様に構成されている。同等部分には同一符号を付して、その説明を省略する。このアンテナ装置７０では、４つの導波器２６ａ乃至２６ｄが、放射器２４ａ、２４ｂの前方に一列に配置されている。さらに、放射器２４ａ、２４ｂの後方に反射器７２が導波器２６ａ乃至２６ｄと平行に配置されている。動作は、第１の実施の形態のアンテナ装置２と同様である。
【００３５】
第５の実施形態のアンテナ装置８０を図１１（ａ）、（ｂ）、図１２（ａ）、（ｂ）に示す。このアンテナ装置８０は、図１１（ａ）に示すように、曲げることが可能な材料、例えば紙、具体的には厚紙製の帯状体の両面または一方の面全域に導電性膜を形成したアンテナ素子８２を有している。導電性膜は、金属テープの貼着または金属の蒸着によって形成される。このアンテナ素子８２の両端には、それぞれ給電部８４ａ、８４ｂが形成されている。このアンテナ素子８２が、同図（ｂ）に示すように、その両端部が接近したループ状に曲げられ、ループアンテナが形成される。
【００３６】
アンテナ素子８２のループ状態を維持するためと、給電部８４ａ、８４ｂに給電するために、図１２（ａ）、（ｂ）に示す給電装置８６が使用されている。給電装置８６は、絶縁体、例えば合成樹脂製の板状体８８を有している。板状体８８は、その一端部側に延長部９０を有している。延長部９０は、アンテナ素子８２側に折り返し可能に形成されている。
【００３７】
板状体８８の一端部がアンテナ素子８２の給電部８４ａ、８４ｂ付近に位置させられ、給電部８４ａ、８４ｂに接触するように接触部９２、９２が板状体５８を貫通して形成されている。これら接触部９２、９２にバラン９４が接続され、バラン９４は、同軸ケーブル９６の芯線と外部導体とに接続されている。外部導体は、板状体８８上に設けた固定具９８によって固定されている。
【００３８】
延長部９０は、同図（ｂ）に示すようにアンテナ素子８２に折り返し可能に形成され、その両側に側方に突出するように耳部１００、１００が形成されている。これら耳部１００、１００におけるバラン９４等が設けられている面と反対側の面に、係合爪１０２、１０２が設けられている。板状体８８の一端部の両側にも、耳部１００、１００に対応するように耳部１０４、１０４が形成され、これらには係合爪１０２、１０２が係合する係合孔１０６、１０６が形成されている。耳部１００、１００の形成位置よりもアンテナ素子８２から離れる方向に沿って、係合爪１０２、１０２の形成面と同じ面には、内向きの爪１０８、１０８が形成されている。また板状体８８の耳部１０４、１０４よりもバラン９４側の両側縁には、爪１０８、１０８が係合する突起１１０、１１０が形成されている。従って、延長部９０をアンテナ素子８２側に同図（ｂ）に示すように折り返すと、係合爪１０２、１０２が係合孔１０６、１０６に係合し、かつ爪１０８、１０８が突起１１０、１１０に係合し、板状体８８と延長部９０とでアンテナ素子８２を挟み込んだ状態で、この給電装置８６が固定される。なお、図示していないが、接触部９２、９２、バラン９４、固定具９８等を覆うように合成樹脂製のケースが取り付けられている。
【００３９】
第６の実施形態のアンテナ装置１１０を図１３（ａ）、（ｂ）に示す。このアンテナ装置１１０は、第５の実施形態のアンテナ装置８０を複数組み合わせて、八木形アンテナとしたものである。即ち、同図（ａ）に示すように絶縁体製の帯状基板１１２の一方の長手縁には、これに沿って間隔をおいて、アンテナ装置８０のアンテナ素子８２と同様なアンテナ素子１１４、１１６、１１８の一端が結合されている。これらアンテナ素子１１４、１１６、１１８は、それぞれ長さが異なり、アンテナ素子１１４、１１６、１１８の順に長くなっている。これらアンテナ素子１１４、１１６、１１８は、同図（ｂ）に示すようにループアンテナを形成するように曲げられ、各アンテナ素子１１４、１１６、１１８の先端は、図示していないが、基板１１２に適切な固定具によって固定されている。また、アンテナ素子１１６の両端には、それぞれ給電部１２０ａ、１２０ｂが形成されており、これらには、図示しない給電装置が接続されている。同図（ｂ）に示す状態において、アンテナ素子１１４が導波器、アンテナ素子１１６が放射器、アンテナ素子１１８が反射器として機能し、八木形アンテナを構成する。
【００４０】
第５及び第６の実施形態のアンテナ装置８０、１１０においても、運搬及び保管時には嵩張らず、容易に組み立てられ、しかも低コストとすることができる。
【００４１】
上記の各実施形態では、アンテナ素子は、紙に金属テープを貼着したり、金属膜を蒸着したりして構成したが、アンテナ素子の素材としては厚紙に限ったものではなく、曲げることが可能であって、導電性膜を形成することが可能な材料、例えば薄い合成樹脂等を使用することもできる。また、平板状体としては、紙の他に、折り曲げ可能な薄い合成樹脂板を使用することもできる。
【図面の簡単な説明】
【００４２】
【図１】本発明の第１の実施形態のアンテナ装置の組み立て前の状態を示す平面図である。
【図２】図１のアンテナ装置の組み立て過程を示す斜視図である。
【図３】図１のアンテナ装置の利得特性図である。
【図４】図１のアンテナ装置のＶＳＷＲ特性図である。
【図５】図１のアンテナ装置のＦ／Ｂ特性図である。
【図６】図１のアンテナ装置の半値幅特性図である。
【図７】図１のアンテナ装置の指向特性図である。
【図８】本発明の第２の実施形態のアンテナ装置の組み立て前の平面図と組み立て後の斜視図である。
【図９】本発明の第３の実施形態のアンテナ装置の組み立て前の平面図と組み立て後の斜視図である。
【図１０】本発明の第４の実施形態のアンテナ装置の組み立て前の平面図と組み立て後の斜視図である。
【図１１】本発明の第５の実施形態のアンテナ装置の組み立て前の平面図と組み立て後の斜視図である。
【図１２】図１１のアンテナ装置と共に使用する給電装置の平面図及び側面図である。
【図１３】本発明の第６の実施形態のアンテナ装置の組み立て前の平面図と組み立て後の斜視図である。
【符号の説明】
【００４３】
２  アンテナ装置
４  平板状体
１０  支持部
１２  アンテナ配置部
２４ａ、２４ｂ  放射器（アンテナ素子）
２６  導波器（アンテナ素子）
【図１】
2008199152.tif 000003
【図２】
2008199152.tif 000004
【図３】
2008199152.tif 000005
【図４】
2008199152.tif 000006
【図５】
2008199152.tif 000007
【図６】
2008199152.tif 000008
【図７】
2008199152.tif 000009
【図８】
2008199152.tif 000010
【図９】
2008199152.tif 000011
【図１０】
2008199152.tif 000012
【図１１】
2008199152.tif 000013
【図１２】
2008199152.tif 000014
【図１３】
2008199152.tif 000015